(57)【要約】【課題】体液漏れを抑制しつつ、着用者に対する不快感を改善した吸収性物品を提供する。【解決手段】吸収性物品１は、中央領域ＣＡと、中央領域ＣＡよりも前方側に位置する前方領域ＦＡと、中央領域ＣＡよりも後方側に位置する後方領域ＢＡとを有し、溝状に圧搾した溝状圧搾部８０と、複数の点状圧搾部９０を幅方向に沿って列状に配列することによって構成される列状圧搾部１００とが形成されている。溝状圧搾部８０は、中央領域ＣＡにおいて、幅方向中心線ＷＣＬを基準に幅方向両側のそれぞれに、前後方向Ｌに沿って延びるように配置される。複数の列状圧搾部１００のそれぞれの前後方向の距離は、複数の列状圧搾部１００を構成する複数の点状圧搾部９０のそれぞれの間隔よりも広く、列状圧搾部１００は、後方領域ＢＡに配置されるとともに、複数の点状圧搾部９０の配列が前後方向Ｌの後方側に向かって屈曲するように配列される屈曲部１１０を有する。【選択図】図１
2014198088.tif 000002
【特許請求の範囲】
【請求項１】
前後方向と、前後方向に直交する幅方向とを有し、
液透過性の表面シートと、液不透過性の裏面シートと、前記表面シートと前記裏面シートとの間に設けられる吸収体と、を備える吸収性物品であって、
前後方向の中央に位置する中央領域と、前記中央領域よりも前方側に位置する前方領域と、前記中央領域よりも後方側に位置する後方領域とを有しており、
前記表面シートと前記吸収体とを溝状に圧搾した溝状圧搾部と、
前記表面シートと前記吸収体とを点状に圧搾した複数の点状圧搾部によって構成され、前記複数の点状圧搾部を前記幅方向に沿って列状に配列した複数の列状圧搾部とが形成されており、
前記溝状圧搾部は、少なくとも前記中央領域において、前記幅方向中心線を基準に幅方向両側のそれぞれに、前記前後方向に沿って延びるように配置されており、
前記複数の列状圧搾部のそれぞれの前記前後方向における距離は、前記複数の列状圧搾部を構成する前記複数の点状圧搾部のそれぞれの間隔よりも広く、
前記複数の列状圧搾部は、少なくとも前記後方領域に配置されており、
前記複数の列状圧搾部のそれぞれは、前記複数の点状圧搾部の配列が前記前後方向の後方側に向かって屈曲するように配列された屈曲部を有する
ことを特徴とする吸収性物品。
【請求項２】
前記屈曲部は、前記吸収性物品の前記幅方向の中心を通る幅方向中心線上に配置されている
ことを特徴とする請求項１に記載の吸収性物品。
【請求項３】
前記溝状圧搾部として、前記複数の列状圧搾部の幅方向の両側と、前記複数の列状圧搾部の前後方向の後側とを囲むように形成される外側溝状圧搾部が配置されている
ことを特徴とする請求項１又は２に記載の吸収性物品。
【請求項４】
前記溝状圧搾部として、前記複数の列状圧搾部よりも前記前後方向の前方に、前記中央領域の中心を囲むように連続した環状に形成される内側溝状圧搾部が配置されている
ことを特徴とする請求項１乃至３の何れか一項に記載の吸収性物品。
【請求項５】
前記列状圧搾部は、前記屈曲部を基準として、前記複数の点状圧搾部の一部を前記幅方向の一方側に延びるように配列した一方の直列部分と、前記複数の点状圧搾部の一部を前記幅方向の他方側に延びるように配列した他方の直列部分とを有し、
前記複数の列状圧搾部は、第１列状圧搾部と、前記第１列状圧搾部よりも前記前後方向の後方側に配置される第２列状圧搾部とを含み、
前記第１列状圧搾部では、前記一方の直列部分の延びる方向に沿った直線と、前記他方の直列部分の延びる方向に沿った直線とが、第１の角度を成すように配置されており、
前記第２列状圧搾部では、前記一方の直列部分の延びる方向に沿った直線と、前記他方の直列部分の延びる方向に沿った直線とが、第２の角度を成すように配置されており
前記第１の角度と前記の第２の角度とは、異なる
ことを特徴とする請求項１乃至４の何れか一項に記載の吸収性物品。
【請求項６】
前記複数の列状圧搾部は、第１列状圧搾部と、前記第１列状圧搾部よりも前記前後方向の後方側に配置される第２列状圧搾部と、前記第２列状圧搾部よりも前記前後方向の後方側に配置される第３列状圧搾部とを含み、
前記第１列状圧搾部と前記第２列状圧搾部との前後方向における距離と、前記第２列状圧搾部と前記第３列状圧搾部との前後方向における距離とが、異なる
ことを特徴とする請求項１乃至５の何れか一項に記載の吸収性物品。
【発明の詳細な説明】
【技術分野】
【０００１】
本発明は、液透過性の表面シートと、液不透過性の裏面シートと、表面シートと裏面シートとの間に設けられる吸収体とを備える吸収性物品に関する。
【背景技術】
【０００２】
従来、生理用ナプキンなどの吸収性物品では、液透過性の表面シートと、吸収体とを圧搾した圧搾部を形成したものが広く知られている。また、圧搾部についても、様々な形状のものが提案されている。
【０００３】
例えば、着用者の排泄口に対向して配置すべき排泄口当接領域の中心を含む中央領域において、幅方向中心を基準に幅方向両側のそれぞれに、前後方向に延びる溝状に圧搾した圧搾部（以下、溝状圧搾部）を配置した吸収性物品が提案されている（例えば、特許文献１参照）。
【０００４】
更に、かかる吸収性物品では、中央領域よりも前後方向の後方側に位置する後方領域において、吸収性物品の幅方向に延びるとともに、前後方向の後方側に向かって屈曲する溝状に圧搾した溝状圧搾部が配置されている。
【０００５】
このように、かかる吸収性物品では、複数の溝状圧搾部を形成することによって、着用者から排泄させる体液漏れを防止することができるとされている。
【先行技術文献】
【特許文献】
【０００６】
【特許文献１】特開２００７−７４５６号公報（図９）
【発明の概要】
【発明が解決しようとする課題】
【０００７】
しかしながら、上述の吸収性物品は、次のような問題があった。
【０００８】
特許文献１に開示される吸収性物品では、着用者の後方側に位置する後方領域において幅方向に延びる複数の溝状圧搾部を配置することのみによって、着用者の後方側に流れる体液を抑制するように構成されているため、当該複数の溝状圧搾部によって剛性が高くなりすぎてしまい、着用者に不快感を与え易くなっていた。特に、着用者が仰向けの状態の場合には、吸収性物品の後方領域が着用者に密着する。よって、後方領域において、幅方向に延びる溝状圧搾部が着用者に密着してしまい、着用者に不快感を与える影響が強いという問題があった。
【０００９】
このように、従来技術に係る吸収性物品では、着用者の後方側における液漏れを抑制する効果と、着用者に対する不快感を抑制する効果とが十分でないという問題があった。
【００１０】
そこで、本発明は、上述の課題に鑑みてなされたものであり、体液漏れを抑制しつつ、着用者に対する不快感を改善した吸収性物品を提供することを目的とする。
【課題を解決するための手段】
【００１１】
本発明に係る吸収性物品（吸収性物品１）は、前後方向（前後方向Ｌ）と、前後方向に直交する幅方向（幅方向Ｗ）とを有し、液透過性の表面シート（表面シート１０）と、液不透過性の裏面シート（裏面シート２０）と、前記表面シートと前記裏面シートとの間に設けられる吸収体（吸収体３０）と、を備える吸収性物品であって、前後方向の中央に位置する中央領域（中央領域ＣＡ）と、前記中央領域よりも前方側に位置する前方領域（前方領域ＦＡ）と、前記中央領域よりも後方側に位置する後方領域（後方領域ＢＡ）とを有しており、前記表面シートと前記吸収体とを溝状に圧搾した溝状圧搾部（溝状圧搾部８０）と、前記表面シートと前記吸収体とを点状に圧搾した複数の点状圧搾部（点状圧搾部９０）によって構成され、前記複数の点状圧搾部を前記幅方向に沿って列状に配列した複数の列状圧搾部（列状圧搾部１００）とが形成されており、前記溝状圧搾部は、少なくとも前記中央領域において、前記幅方向中心線（幅方向中心線ＷＣＬ）を基準に幅方向両側のそれぞれに、前記前後方向に沿って延びるように配置されており、前記複数の列状圧搾部のそれぞれの前記前後方向における距離（距離ＰＡ）は、前記複数の列状圧搾部を構成する前記複数の点状圧搾部のそれぞれの間隔（ＰＢ）よりも広く、前記複数の列状圧搾部は、少なくとも前記後方領域に配置されており、前記複数の列状圧搾部のそれぞれは、前記複数の点状圧搾部の配列が前記前後方向の後方側に向かって屈曲するように配列された屈曲部（屈曲部１１０）を有することを要旨とする。
【発明の効果】
【００１２】
本開示によれば、体液漏れを抑制しつつ、着用者に対する不快感を改善した吸収性物品を提供することができる。
【図面の簡単な説明】
【００１３】
【図１】実施形態に係る吸収性物品の肌当接面側から見た平面図である。
【図２】図１に示すＸ−Ｘ断面の模式断面図である。
【図３】図１に示すＹ−Ｙ断面の模式断面図である。
【図４】実施形態に係る吸収性物品の肌当接面側から見た一部拡大平面図である。
【図５】実施形態の変形例に係る吸収性物品の肌当接面側から見た一部拡大平面図である。
【発明を実施するための形態】
【００１４】
図面を参照して、実施形態に係る吸収性物品１について説明する。図１は、吸収性物品の平面図であり、図２は、図１に示すＸ−Ｘ線に沿った断面図であり、図３は、図１に示すＹ−Ｙ線に沿った断面図である。図４は、図１の一部拡大平面図である。また、本実施形態に係る吸収性物品１は、前後方向Ｌと、前後方向Ｌに直交する幅方向Ｗとを有する。
【００１５】
実施の形態に係る吸収性物品は、例えば、夜用の生理用ナプキンである。したがって、本実施の形態に係る吸収性物品は、前後方向Ｌ（長手方向）において着用者の前側に位置する前方領域ＦＡよりも、着用者の後側に位置する後方領域ＢＡの方が長く構成されている。
【００１６】
なお、後述する一対のウイング部の間の領域は、着用者の排泄口が当接する排泄口当接領域を含む中央領域ＣＡである。具体的には、一対のウイング部４３、４４の前後方向の前方向の付け根ＣＡ１から、一対のウイング部４３、４４の前後方向の後方向の付け根ＣＡ２までの間に、中央領域ＣＡが設けられている。中央領域ＣＡよりも前方側が前方領域ＦＡとなり、中央領域ＣＡよりも後方側が後方領域ＢＡとなる。
【００１７】
本実施の形態では、夜用の生理用ナプキンを例に挙げて説明するが、本発明に係る吸収性物品は、昼用の生理用ナプキンにおいても適用することができる。昼用の生理用ナプキンは、前後方向Ｌにおいて着用者の前側に位置する前方領域ＦＡと、着用者の後側に位置する後方領域ＢＡとの長さが略同じである。
【００１８】
図１乃至３に示すように、吸収性物品１は、着用者の肌に当接する表面シート１０と、液体を透過しない液不透過性の裏面シート２０と、吸収体３０とを有する。吸収体３０は、表面シート１０と裏面シート２０との間に配設される。従って、吸収体３０は、図１において破線で示される。
【００１９】
吸収性物品１は、図１に示す平面視にて、吸収性の幅方向Ｗの両側において、幅方向Ｗ外側に延出する一対のウイング部４３、４４を有する。
【００２０】
更に、吸収性物品１は、幅方向Ｗにおいて吸収体３０の外側に設けられるサイドシート４１，４２を備える。
【００２１】
表面シート１０は、体液等の液体を透過する液透過性のシートである。表面シート１０は、少なくとも吸収体３０の表面を覆う。表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。表面シートは少なくとも1枚以上で構成されていてもよい。なお、例えば、表面シート１０と吸収体３０との間には、セカンドシートが設けられていてもよい。
【００２２】
天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、もしくは親水化処理を施した熱可塑性疎水性化学繊維が挙げられる。
【００２３】
前記熱可塑性疎水性化学繊維としては、ポリエチレン（PE）、ポリプロピレン（PP）、ポリエチレンテレフタレート（PET）等の単繊維、PEとPPをグラフト重合してなる繊維、芯鞘構造等の複合繊維が例として挙げられる。
【００２４】
なお、特に不織布には、ウェブフォーミングは、乾式（カード法、スパンボンド法メルトブローン法、エアレイド法等）や湿式等のいずれか、又は複数を組み合わせて行ってもよい。また、ボンディングの方法としては、サーマルボンディング、ニードルパンチ、ケミカルボンディング等の方法が挙げられるが、特にこれらの方法に限定されるものではない。また、水流交絡法によりシート状に形成したスパンレースを用いても良い。
【００２５】
有孔プラスチックシートとしては、PE、PP、PETといった熱可塑性樹脂の有孔シートや、多孔質の発泡材等を用いることができる。また、これらについては必要に応じて酸化チタンや炭酸カルシウム等からなるフィラーを0.5〜10%の範囲で混入することにより、白濁化させて使用することも好ましい。また、前記熱可塑性樹脂からなるフィルムを、パーフォレーション、ヒートエンボス加工、或いは機械加工等により開孔した有孔フィルムを使用しても良い。有孔フィルムは、不織布との複合シートとして使用しても良い。
【００２６】
裏面シート２０は、表面シート１０の長さと略同一の長さを有する。裏面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましく、例えば低密度ポリエチレン（LDPE）樹脂を主体とした目付15〜30g/m2の範囲から得られるフィルムを用いることができる。裏面シート２０は、不透液性且つ透湿性であることが望ましく、例えばポリエチレンやポリプロピレン等のオレフィン系樹脂に無機充填剤を溶融混練したものを延伸処理した微多孔性シートによって構成することができる。
【００２７】
吸収体３０は、親水性繊維、パルプを含む。吸収体３０は、経血などの体液を吸収可能な材料によって形成される。例として、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、もしくは親水化処理を施した熱可塑性疎水性化学繊維、ケミカルボンド処理されたエアレイドパルプ等を単独又は混合して用いることができる。
【００２８】
これらの材料を吸収体に成形する方法は特に限定されるものではないが、例えばエアレイド法、メルトブローン法、スパンレース法、抄紙法等によってシート化したものが使用される。また、吸収体としてセルロース発泡体、合成樹脂の連続発泡体等も使用することができる。さらに、発泡体又は前記シート化した材料を粉砕した後に吸収体に成形したものを使用することも可能である。これらの中でも、パルプを80〜100%の範囲、粒子状ポリマーを20〜0%の範囲で混合し、例えばテッィシュで被覆した後、エンボス加工によりシート化した目付100〜2000g/m2、1〜50mmの嵩を有する吸収体が挙げられる。エンボス加工は吸収体の型崩れを防止するためであり、エンボス面積率は10〜100%の範囲、好ましくは30〜80%の範囲である。なお、吸収体３０の構成はこれに限定されない。吸収体３０は、テッィシュで被覆されていなくてもよいし、エンボス加工も施されていなくてもよい。
【００２９】
吸収体３０は、親水性繊維又は粉体をエアレイド法によって積層して形成されてもよいし、親水性繊維又は粉体をエアレイド法によってシート状に成形したエアレイドシートでもよいし、ティッシュ（例えば、目付１５ｇ／ｍ２）上に高吸収ポリマーを混入した粉砕パルプを配置し、ティッシュで包むことによって形成されていてもよい。
【００３０】
本実施の形態に係る吸収体３０は、綿状パルプや合成パルプ等を坪量１００〜３００ｇ／ｍ２程度に積層したパルプを保護紙（図示せず）で包むことによって構成されている。保護紙は、パルプの形状を保持するためのものであり、例えばクレープ紙やティッシュペーパーなどを用いることができる。
【００３１】
吸収体３０は、前後方向に延びる形状であり、裏面シート２０よりも略一回り程度小さい。吸収体３０の幅方向Ｗの長さは、成人女性の股間隔に対応しており、概ね５０〜８０ｍｍである。吸収体３０は、ホットメルトなどの接着剤によって裏面シート２０に接着される。
【００３２】
サイドシート４１，４２は、表面シート１０の両側に配設される。サイドシート４１，４２は、表面シート１０と同様の材料から選ぶことができる。但し、サイドシート４１，４２を乗り越えて吸収性物品１外方へ経血が流れることを防止するためには、疎水性又は撥水性を有することが好ましい。サイドシート４１，４２は、吸収体３０の側縁の一部及びウイング部４３，４４を覆う。
【００３３】
吸収性物品１では、表面シート１０、サイドシート４１，４２、及び裏面シート２０の周縁が接合されて、吸収体３０が内封される。表面シート１０と裏面シート２０との接合方法としては、ヒートエンボス加工、超音波、又はホットメルト接着剤のいずれか一つ、又は複数を組み合わせることが可能である。
【００３４】
裏面シート２０において、下着と接触する表面には、複数の領域において粘着剤（図示せず）が塗布されている。粘着剤は、吸収体の裏面側において前後方向Ｌに沿って間欠的に配置されている。粘着剤は、ウイング部４３及びウイング部４４において、下着と接触する表面にも設けられる。使用前の状態では、粘着剤は、図示しない剥離シートに接している。剥離シートは、使用前に粘着剤が劣化するのを防止している。そして、使用時に着用者によって剥離シートが剥離される。
【００３５】
なお、剥離シートを有しない吸収性物品においては、吸収性物品を個別に包装する包装シートによって使用前に粘着剤が劣化するのを防止するように構成されていてもよい。粘着剤と包装シートが接する場合には、包装シートの表面には、粘着剤の粘着力を低下させることなく粘着剤を剥離可能にする処理を施すことが望ましい。
【００３６】
本実施形態に係る吸収性物品１には、表面シート１０と吸収体３０とを溝状に圧搾した溝状圧搾部８０と、表面シート１０と吸収体３０とを点状に圧搾した複数の点状圧搾部９０とが配置されている。また、吸収性物品１には、複数の点状圧搾部９０によって構成され、複数の点状圧搾部９０を幅方向Ｗに沿って列状に配列した複数の列状圧搾部１００が形成されている。
【００３７】
溝状圧搾部８０と複数の点状圧搾部９０とは、吸収性物品１の表面シートと吸収体３０に対して圧搾加工が施されることによって形成される。
【００３８】
溝状圧搾部８０は、少なくとも中央領域ＣＡにおいて、幅方向中心線ＷＣＬを基準に幅方向Ｗ両側のそれぞれに、前後方向Ｌに沿って延びるように配置されている。また、溝状圧搾部８０は、前後方向Ｌに沿って少なくとも一対配置されている。
【００３９】
本実施形態では、溝状圧搾部８０として、内側溝状圧搾部８１と、外側溝状圧搾部８２（第１溝状圧搾部）と、が配置されている。
【００４０】
内側溝状圧搾部８１は、中央領域ＣＡの中心を囲むように連続した環状に形成される。具体的に、内側溝状圧搾部８１は、着用者の排泄口に対向して配置される排泄口当接領域の中心Ｃを囲むように、中央領域ＣＡの周囲に設けられている。また、内側溝状圧搾部８１は、複数の列状圧搾部１００よりも前後方向Ｌの前方に、配置されている。
【００４１】
なお、排泄口当接領域の中心Ｃとは、着用者の排泄口が当接する中央領域ＣＡの長手方向及び幅方向の中心と一致する。例えば、ウイング部を有する吸収性物品においては、ウイング部の長手方向の中心が、中央領域ＣＡの長手方向の中心となる。また、ウイング部を有しない吸収性物品においては、吸収体の幅方向の長さ寸法が最も短い位置が、中央領域ＣＡの長手方向の中心としてもよい。或いは、吸収性物品１の幅方向の長さ寸法が最も短い位置が、中央領域ＣＡの長手方向の中心としてもよい。なお、排泄口当接領域は、着用者の股間部と当接する領域に含まれており、着用者の両脚の間に位置する。
【００４２】
外側溝状圧搾部８２は、中央領域ＣＡにおいて、内側溝状圧搾部８１よりも幅方向Ｗ外側に配置される。なお、外側溝状圧搾部８２は、複数の列状圧搾部１００の幅方向Ｗの両側と、複数の列状圧搾部１００の前後方向Ｌの後側とを囲むように形成される。
【００４３】
また、図１及び４に示すように、複数の列状圧搾部１００は、少なくとも後方領域ＢＡに配置されている。なお、列状圧搾部１００は、前方領域ＦＡにも配置されていても良い。
【００４４】
図１及び４において、列状圧搾部１００が配置された領域を、二点鎖線によって囲んで示す。当該二点鎖線は、列状圧搾部１００を構成するものではなく、列状圧搾部１００が配置された領域を便宜的に示すものである。更に、列状圧搾部１００は、鎖線で囲われている領域全体によって構成されているのではなく、二点鎖線で囲われている領域内の複数の点状圧搾部９０によって構成されるものであることに留意すべきである。
【００４５】
本実施形態に係る吸収性物品１には、複数の列状圧搾部１００が形成されている。具体的に、図４に示すように、吸収性物品１には、列状圧搾部１００として、第１列状圧搾部１００ａと、第１列状圧搾部１００ａよりも前後方向Ｌの後方側に配置される第２列状圧搾部１００ｂと、第２列状圧搾部１００ｂよりも前後方向Ｌの後方側に配置される第３列状圧搾部１００ｃとが形成されている。
【００４６】
複数の列状圧搾部１００のそれぞれは、複数の点状圧搾部９０の配列が前後方向Ｌの後方側に向かって屈曲するように配列される屈曲部１１０を有する。具体的に、第１列状圧搾部１００ａと、第２列状圧搾部１００ｂと、第３列状圧搾部１００ｃとのそれぞれは、屈曲部１１０を有する。なお、本実施形態では、屈曲部１１０は、幅方向Ｗの中心線ＷＣＬ上に配置されている。
【００４７】
本実施形態では、第１列状圧搾部１００ａと第２列状圧搾部１００ｂと第３列状圧搾部１００ｃとは、前後方向Ｌの位置を除き同様の構成である。よって、それぞれを単に列状圧搾部１００として適宜説明する。また、本実施形態では、吸収性物品１が、第１列状圧搾部１００ａと第２列状圧搾部１００ｂと第３列状圧搾部１００ｃとの３つを有する場合を例に挙げて説明するが、列状圧搾部１００の数は、これに限定されるものではない。
【００４８】
また、本実施形態において、複数の列状圧搾部１００のそれぞれの前後方向Ｌにおける距離ＰＡは、複数の列状圧搾部１００を構成する複数の点状圧搾部９０のそれぞれの間隔ＰＢよりも広くなるように形成されている。具体的に、図４に示すように、第１列状圧搾部１００ａと第２列状圧搾部１００ｂとの距離ＰＡは、列状圧搾部１００を構成する複数の点状圧搾部９０のそれぞれの間隔ＰＢよりも広い。なお、距離ＰＡは、第１列状圧搾部１００ａを構成する複数の点状圧搾部９０と、第２列状圧搾部１００ｂを構成する複数の点状圧搾部９０との間において、前後方向Ｌに最も近い点状圧搾部９０間の中心距離である。なお、隔ＰＢは、列状圧搾部１００を構成する複数の点状圧搾部９０において、最も近くに隣接する点状圧搾部９０間の中心距離である。
【００４９】
また、第１列状圧搾部１００ａと第２列状圧搾部１００ｂとの前後方向における距離ＰＡは、１０〜４０ｍｍであることが好ましい。距離ＰＡが１０ｍｍ未満であると、後方領域ＢＡにおける剛性が高くなりすぎるおそれがあるためである。一方、距離ＰＡが４０ｍｍよりも大きいと、第１列状圧搾部１００ａと第２列状圧搾部１００ｂとの間における剛性が低くなり、ヨレが発生するおそれがある。さらに、かかるヨレに起因して、体液が漏れる恐れもある。
【００５０】
また、本実施形態では、第１列状圧搾部１００ａと第２列状圧搾部１００ｂとの前後方向Ｌにおける距離ＰＡと、第２列状圧搾部１００ｂと第３列状圧搾部１００ｃとの前後方向Ｌにおける距離ＰＡとは、同様である。つまり、第１列状圧搾部１００ａと第２列状圧搾部１００ｂと第３列状圧搾部１００ｃとは、前後方向Ｌに一定間隔毎に略平行に配置されている。
【００５１】
本実施形態において、列状圧搾部１００は、屈曲部１１０を基準として、複数の点状圧搾部９０の一部を幅方向Ｗの一方側に延びるように配列した一方の直列部分１０１と、複数の点状圧搾部９０の一部を幅方向Ｗの他方側に延びるように配列した他方の直列部分１０２とを有する。
【００５２】
ここで、図４に示すように、第３列状圧搾部１００ｃを例に挙げて説明する。第３列状圧搾部１００ｃは、屈曲部１１０を基準として、幅方向Ｗの一方側に延びる一方の直列部分１０１と、幅方向Ｗの他方側に延びる他方の直列部分１０２とを有する。なお、一方の直列部分１０１と他方の直列部分１０２とは、幅方向Ｗに対して交差する方向に延びる。
【００５３】
本実施形態では、屈曲部１１０は、一方の直列部分１０１と他方の直列部分１０２とが交差することによって形成される。屈曲部１１０は、複数の点状圧搾部９０上に沿った直線を規定した際に、当該直線が折れ曲がる部分であるとも言い換えることができる。また、本実施形態では、屈曲部１１０は、所定角度によって屈曲する形状である場合を例に挙げて説明する。すなわち、本実施形態では、列状圧搾部１００は、平面視において、Ｖ字状の形状で形成されている。なお、屈曲部１１０は、なだらかに湾曲する形状であってもよい。つまり、本実施形態では、列状圧搾部１００は、平面視において、Ｕ字状の形状で形成されていてもよい。
【００５４】
また、図４に示すように、第３列状圧搾部１００ｃでは、一方の直列部分１０１の延びる方向に沿った直線Ｌａと、他方の直列部分１０２の延びる方向に沿った直線Ｌｂとが、所定角度θを成すように配置されている。
【００５５】
なお、図４の例では省略しているが、第１列状圧搾部１００ａと第２列状圧搾部１００ｂも、一方の直列部分１０１の延びる方向に沿った直線Ｌａと、他方の直列部分１０２の延びる方向に沿った直線Ｌｂとが、所定角度θを成すように配置されている。
【００５６】
また、本実施形態では、前方領域ＦＡにおいて、複数の点状圧搾部９１が形成されている。具体的に、複数の点状圧搾部９１が、外側溝状圧搾部８２の内側の領域に分散した状態で配置されている。なお、本実施形態では、後方領域ＢＡに形成される複数の点状圧搾部９０と、前方領域ＦＡに形成される複数の点状圧搾部９１とは、外側溝状圧搾部８２と内側溝状圧搾部８１との間の領域に位置する。
【００５７】
ここで、本実施形態では、吸収性物品１に形成される複数の点状圧搾部９０、９１の内の一部である複数の点状圧搾部９０のみが、列状圧搾部１００を構成する。つまり、複数の点状圧搾部９１は、列状圧搾部１００を構成していない。したがって、本実施形態では、複数の点状圧搾部９０と、複数の点状圧搾部９１とは、列状圧搾部１００を構成するか否かという点で、区別される。
【００５８】
また、本実施形態では、点状圧搾部９０及び点状圧搾部９１の形状は、円形状である場合を例に挙げて説明する。なお、点状圧搾部９０及び点状圧搾部９１の形状は、特に制限されず、例えば、円形の他に、楕円形、三角形、例えば、正三角形、正方形、長方形、正五角形、星形、ハート形などでもよい。
【００５９】
また、点状圧搾部９０、９１の底部の直径は、1〜4mmであることが好ましい。点状圧搾部９０、９１の底部の直径が、上記の値よりも小さいと、目付けが高い吸収体３０に点状圧搾部９０、９１を形成する場合、吸収体３０の厚みがあり過ぎて表面シート１０が破れてしまい、点状圧搾部９０、９１が形成されにくくなる。一方、点状圧搾部９０、９１の底部の直径が、上記値よりも大きいと、圧搾時の圧力が足りず、点状圧搾部９０、９１の輪郭がくっきりと形成されにくくなる。また、点状圧搾部９０、９１の輪郭がくっきりと形成されないと、着用者に対して、通気孔のイメージを与えにくくなってしまう。
【００６０】
（吸収性物品の製造方法）
次に、本実施形態に係る吸収性物品１の製造方法の一部について説明する。なお、説明しない方法については、既存の方法を用いることができる。吸収性物品の製造方法は、第１ステップとして、シート生成工程を行う。次いで、第２ステップとして、シート接合工程を行う。具体的には、表面シート１０とサイドシート４１，４２とを、例えば熱溶着によって接着する。
【００６１】
第３ステップとして、吸収体成型工程を行う。具体的には、成型ドラムによって吸収体の材料となるパルプを成型して吸収体３０を成型する。なお、第１ステップ及び第２ステップのシート生成工程と、第３ステップの吸収体成型工程の順序は、逆の順序であってもよい。
【００６２】
第４ステップにおいて、接合工程を行う。具体的には、第３ステップにおいて成型した吸収体３０と、第２ステップにおいて接合した表面シート及びサイドシートとを接合する接合工程を行う。
【００６３】
第５ステップにおいて、溝状圧搾部８０と点状圧搾部９０との形成工程を行う。具体的には、表面シート１０と吸収体３０とを厚み方向に圧縮し、溝状圧搾部８０と点状圧搾部９０とを形成する。なお、複数の点状圧搾部９０を形成することによって、列状圧搾部１００が形成される。
【００６４】
このとき、点状圧搾部９０は、低圧搾処理と高圧搾処理とを同時に行って形成されても良い。これによれば、低圧搾処理によって点状圧搾部９０の輪郭部分を形成するとともに、輪郭部分の内部において、高圧搾処理によって形成される高圧搾部分を形成する。さらに、高圧搾処理によって形成される高圧搾部分の端部は、低圧搾処理によって形成される輪郭に接するように配置することで、高圧搾部分の形状（例えば、格子形状）が欠けにくくできる。これによれば、吸収性物品１が、長時間使用された場合であっても、点状圧搾部９０の形状が確保され、表面シート１０と吸収体３０とが剥離しにくくできる。
【００６５】
第６ステップにおいて、裏面シート接合工程を行う。具体的には、溝状圧搾部８０と点状圧搾部９０とを形成した吸収体３０及び表面シート１０と、サイドシート４１、４２と、裏面シート２０とを、ホットメルト接着剤の塗布により接合する。
【００６６】
その後、裏面シート２０の非肌当接側（衣服当接面側）に、ずれ止め材としての接着剤を塗布する工程、折り畳み工程、及び、吸収性物品１の包装工程を行う。上記の工程により、本実施の形態に係る吸収性物品の製造することができる。
【００６７】
（作用及び効果）
本実施形態に係る吸収性物品１には、溝状圧搾部８０と、複数の点状圧搾部９０を、幅方向Ｗに沿って列状に配列することによって構成される列状圧搾部１００が設けられている。なお、本実施形態では、溝状圧搾部８０として、内側溝状圧搾部８１と、外側溝状圧搾部８２とが設けられている。
【００６８】
また、内側溝状圧搾部８１と外側溝状圧搾部８２とは、少なくとも中央領域ＣＡにおいて、前後方向Ｌに沿って延びるように配置されている。ここで、中央領域ＣＡは、排泄口当接中心Ｃを含み、着用者から体液が排泄される領域である。かかる吸収性物品１では、内側溝状圧搾部８１と外側溝状圧搾部８２とが、中央領域ＣＡにおいて、前後方向Ｌに沿って延びるように配置されているため、中央領域ＣＡにおいて、幅方向Ｗ外側における体液の漏れを防止できる。
【００６９】
また、吸収性物品１には、後方領域ＢＡにおいて、複数の点状圧搾部９０を幅方向Ｗに沿って列状に配列することによって構成される複数の列状圧搾部１００が配置されている。また、本実施形態に係る吸収性物品１では、列状圧搾部１００として、第１列状圧搾部１００ａと、第１列状圧搾部１００ａよりも前後方向Ｌの後方側に配置される第２列状圧搾部１００ｂと、第２列状圧搾部１００ｂよりも前後方向Ｌの後方側に配置される第３列状圧搾部１００ｃとが配置されている。
【００７０】
これにより、後方領域ＢＡにおいて、前後方向Ｌの後方に向かって流れる体液は、列状圧搾部１００（例えば、第１列状圧搾部１００ａ）を構成する複数の点状圧搾部９０で吸収され、吸収し切れなかった体液は、複数の点状圧搾部９０隙間を通って後方へ流れる。また、かかる体液は、前後方向Ｌの後方にある列状圧搾部１００（例えば、第２列状圧搾部１００ｂ）によって吸収されるので、前後方向Ｌの後方へ流れる体液の量と体液の進行速度とを落としつつ、幅方向Ｗへの拡散も低減できる。よって、かかる吸収性物品１によれば、後方領域ＢＡにおける体液漏れを防ぐことができる。
【００７１】
また、本実施形態に係る吸収性物品１では、第１列状圧搾部１００ａと第２列状圧搾部１００ｂとの前後方向Ｌにおける距離ＰＡは、第１列状圧搾部１００ａ及び第２列状圧搾部１００ｂを構成する複数の点状圧搾部９０のそれぞれの間隔ＰＢよりも広い。これにより、前後方向Ｌの後方に流れる体液が第１列状圧搾部１００ａに到達した場合、かかる体液は、第１列状圧搾部１００ａを構成する複数の点状圧搾部９０によって吸収され易くなる。つまり、体液は、第１列状圧搾部１００ａを構成する全ての複数の点状圧搾部９０によって吸収された後に、第２列状圧搾部１００ｂに流れやすくなる。よって、かかる吸収性物品１によれば、体液を効率よく吸収できると共に、体液の前後方向における拡散を抑制できる。
【００７２】
また、第１列状圧搾部１００ａと第２列状圧搾部１００ｂと第３列状圧搾部１００ｃのそれぞれは、前後方向Ｌの後方側に向かって屈曲する屈曲部１１０を有する。これにより、かかる吸収性物品では、前後方向の後方側に向かって流れる体液が、例えば、第１列状圧搾部１００ａに到達すると、かかる体液が、複数の点状圧搾部９０を伝って、屈曲部１１０に向かって集められ、幅方向に拡散しにくくなる。これにより、後方領域ＢＡにおいて、前後方向Ｌの後方側における体液の漏れを抑制できると共に、幅方向Ｗにおける体液の漏れも防止できる。
【００７３】
更に、かかる吸収性物品１では、後方領域ＢＡにおいて、列状圧搾部１００が複数の点状圧搾部９０を幅方向Ｗに沿って配列することによって構成されるため、幅方向Ｗに沿って溝状の複数の溝状圧搾部のみを配置する場合に比べて、後方領域ＢＡにおける剛性を抑制できる。すなわち、かかる吸収性物品１によれば、例えば、着用者が仰向けの状態となり、吸収性物品１の後方領域ＢＡが着用者に密着する場合であっても、複数の溝状圧搾部のみを配置する場合に比べて、剛性に起因して着用者に与えられる不快感を抑制できる。
【００７４】
このように、本発明に係る吸収性物品によれば、体液漏れを抑制しつつ、着用者に対する不快感を改善できる。
【００７５】
本実施形態に係る吸収性物品１では、屈曲部１１０が、体液の多い幅方向中心線ＷＣＬ上に配置されている。これによれば、前後方向Ｌの後方側に向かって流れる体液が、列状圧搾部１００を構成する複数の点状圧搾部９０を伝って、屈曲部１１０が設けられている幅方向中心線ＷＣＬに向かって集められて、幅方向Ｗに拡散しにくくなるため、幅方向Ｗにおける体液漏れをより確実に抑制できる。
【００７６】
本実施形態に係る吸収性物品１では、複数の列状圧搾部１００の幅方向Ｗの両側と、複数の列状圧搾部１００の前後方向Ｌの後側とを囲むように外側溝状圧搾部８２が配置されている。これによれば、列状圧搾部１００に到達した体液が、仮に、列状圧搾部１００によりも幅方向Ｗ外側に拡散することがあっても、かかる体液は、外側溝状圧搾部８２よりも幅方向Ｗ外側に拡散することを防止できる。また、列状圧搾部１００に到達した体液が、仮に、列状圧搾部１００よりも前後方向Ｌの後方に拡散することがあっても、かかる体液は、外側溝状圧搾部８２よりも前後方向Ｌの後方に拡散することを防止できる。
【００７７】
更に、外側溝状圧搾部８２が環状に形成されることによって、吸収体３０の形状が確保されるため、吸収体３０のヨレ等に起因して着用者に当接する面積が低下することを抑制する。すなわち、着用者に当接する吸収体３０の面積の低下により体液の漏れが発生することを抑制できる。
【００７８】
本実施形態に係る吸収性物品１では、後方領域ＢＡに設けられる列状圧搾部１００よりも前後方向Ｌの前方に、中央領域ＣＡの中心を囲むように連続した環状に形成される内側溝状圧搾部８１が配置されている。これにより、着用者から排泄されて前後方向Ｌの後方側に流れる体液は、連続した環状に形成される内側溝状圧搾部８１を介してから、列状圧搾部１００に到達するようになる。よって、かかる体液は、内側溝状圧搾部８１によって吸収された後、吸収し切れなかった体液が、内側溝状圧搾部８１の前後方向Ｌの後方に配置される列状圧搾部１００によって吸収されるようになる。これにより、前後方向Ｌの後方へ流れる体液の量と体液の進行速度とを抑制できるので、後方への拡散を低減できる。
【００７９】
また、内側溝状圧搾部８１が、列状圧搾部１００よりも前後方向Ｌの前方に配置されることによって、列状圧搾部１００よりも前後方向Ｌの前方におけるヨレ等を抑制できる。
【００８０】
また、本実施形態に係る吸収性物品１では、後方領域ＢＡに形成される列状圧搾部１００は、複数の点状圧搾部９０によって構成されている。このような構成によれば、着用者が仰向けで寝ている場合に、表面シート１０が着用者の臀部に接触することにより、浮き上がってしまうことを防止できる。さらに、列状圧搾部１００が、複数の点状圧搾部９０ではなく、例えば、溝状圧搾部によって構成されている場合に比べて、通気性を改善できる。
【００８１】
また、本実施形態に係る吸収性物品１では、列状圧搾部１００として、第１列状圧搾部１００ａと第２列状圧搾部１００ｂと第３列状圧搾部１００ｃとが形成されている。かかる構成によれば、例えば、吸収性物品１の使用中に体液が第１列状圧搾部１００ａを超えて第２列状圧搾部１００ｂに達した際に、交換時期が近いこと知らせる目安として利用することもできる。
【００８２】
また、本実施形態に係る吸収性物品１では、列状圧搾部１００は、屈曲部１１０を基準として、幅方向Ｗの一方側に延びる一方の直列部分１０１と、幅方向Ｗの他方側に延びる他方の直列部分１０２とを有する。また、一方の直列部分１０１と他方の直列部分１０２とは、幅方向Ｗに対して交差する方向に延びる。これによれば、製造工程において、列状圧搾部１００を構成する複数の点状圧搾部９０を成形する際、均一の圧力によって圧搾することできるため、複数の点状圧搾部９０の成形品質を確保しやすい。
【００８３】
なお、本実施形態に係る吸収性物品１では、第１列状圧搾部１００ａの最も前後方向Ｌの後方に設けられる点状圧搾部９０の前後方向Ｌにおける位置は、第２列状圧搾部１００ｂの最も前後方向Ｌの前方に設けられる点状圧搾部９０の前後方向Ｌにおける位置と同一、又は、第２列状圧搾部１００ｂの最も前後方向Ｌの前方に設けられる点状圧搾部９０の前後方向Ｌにおける位置よりも後方であることが好ましい。
【００８４】
これは、次の理由による。第１列状圧搾部１００ａの最も前後方向Ｌの後方に位置する圧搾部９０と、第２列状圧搾部１００ｂの最も前後方向Ｌの前方に位置する圧搾部９０とが上記位置関係を有することで、第１列状圧搾部１００ａと第２列状圧搾部１００ｂとの距離ＰＡが広くなりすぎることを防止できる。これにより、第１列状圧搾部１００ａと第２列状圧搾部１００ｂとの間に、ヨレが発生することを防止できる。なお、同様に、第２列状圧搾部１００ａの最も前後方向Ｌの後方に設けられる点状圧搾部９０の前後方向Ｌにおける位置は、第３列状圧搾部１００ｂの最も前後方向Ｌの前方に設けられる点状圧搾部９０の前後方向Ｌにおける位置と同一、又は、第３列状圧搾部１００ｂの最も前後方向Ｌの前方に設けられる点状圧搾部９０の前後方向Ｌにおける位置よりも後方であることが好ましい。
【００８５】
（変形例１）
次に、上述した実施形態の変形例１について説明する。図５（ａ）は、本発明の変形例１に係る吸収性物品１Ａを肌当接面側から見た平面図である。なお、以下の変形例の説明において、本実施の形態と同様の構成を有する部分については、同じ符号で表わされるものとし、説明を省略する。
【００８６】
本実施形態では、第１列状圧搾部１００ａと第２列状圧搾部１００ｂとの前後方向Ｌにおける距離ＰＡ１と、第２列状圧搾部１００ｂと第３列状圧搾部１００ｃとの前後方向Ｌにおける距離ＰＡ２とが、異なる。
【００８７】
具体的には、第１列状圧搾部１００ａと第２列状圧搾部１００ｂとの前後方向Ｌにおける距離ＰＡ１は、第２列状圧搾部１００ｂと第３列状圧搾部１００ｃとの前後方向Ｌにおける距離ＰＡ２よりも狭い。つまり、ＰＡ１＜ＰＡ２の関係を満たす。
【００８８】
ここで、列状圧搾部１００同士の間隔が狭いほど、前後方向Ｌの後方に流れる体液の進行速度を抑制できるとともに、前後方向Ｌ及び幅方向Ｗにおける体液の漏れを防止する効果が大きい。一方で、列状圧搾部１００同士の間隔が狭いほど、列状圧搾部１００が密に配置されることによって剛性が高まり、着用者に違和感を与える可能性もある。
【００８９】
よって、列状圧搾部１００同士の間隔を調整することで、前後方向Ｌ及び幅方向Ｗにおける体液の漏れを防止する効果と、着用者に違和感を抑制する効果とを調整できる。
【００９０】
本実施形態では、第１列状圧搾部１００ａと第２列状圧搾部１００ｂとの前後方向Ｌにおける距離ＰＡ１は、第２列状圧搾部１００ｂと第３列状圧搾部１００ｃとの前後方向Ｌにおける距離ＰＡ２よりも狭い。
【００９１】
これによれば、後方領域ＢＡの前方側では、体液の漏れを抑制する効果を高めることができる。一方、後方領域ＢＡの後方側では、体液の漏れとともに剛性を抑制する効果を高めることができる。
【００９２】
（変形例２）
次に、上述した実施形態の変形例２について説明する。図５（ｂ）は、本発明の変形例２に係る吸収性物品１Ｂを肌当接面側から見た平面図である。なお、以下の変形例の説明において、本実施の形態と同様の構成を有する部分については、同じ符号で表わされるものとし、説明を省略する。
【００９３】
本実施形態に係る第１列状圧搾部１００ａでは、一方の直列部分１０１の延びる方向に沿った直線Ｌａと、他方の直列部分１０２の延びる方向に沿った直線Ｌｂとが、第１の角度θ１を成すように配置されている。
【００９４】
第２列状圧搾部１００ｂでは、一方の直列部分１０１の延びる方向に沿った直線Ｌａと、他方の直列部分１０２の延びる方向に沿った直線Ｌｂとが、第２の角度θ２を成すように配置されている。
【００９５】
第３列状圧搾部１００ｃでは、一方の直列部分１０１の延びる方向に沿った直線Ｌａと、他方の直列部分１０２の延びる方向に沿った直線Ｌｂとが、第３の角度θ３を成すように配置されている。
【００９６】
本実施形態では、第２の角度θ２と第３の角度θ３とは、異なる。すなわち、第１の角度θ１と、第２の角度θ２と、第３の角度θ３とは、互いに異なる。
【００９７】
詳細に、本実施形態では、第１の角度θ１は、第２の角度θ２よりも小さく、第２の角度θ２は、第３の角度θ３よりも小さい。つまり、θ１＜θ２＜θ３の関係を満たす。
【００９８】
ここで、一方の直列部分１０１の延びる方向に沿った直線Ｌａと、他方の直列部分１０２の延びる方向に沿った直線Ｌｂとが成す角度θが小さいほど、列状圧搾部１００全体の幅方向Ｗにおける長さが小さくなる。かかる列状圧搾部１００では、幅方向Ｗにおける体液の漏れを防止する効果が大きくなる。
【００９９】
その一方で、一方の直列部分１０１の延びる方向に沿った直線Ｌａと、他方の直列部分１０２の延びる方向に沿った直線Ｌｂとが成す角度θが大きいほど、列状圧搾部１００全体の幅方向Ｗにおける長さが大きくなる。かかる列状圧搾部１００では、前後方向Ｌの後方側に流れる体液の漏れを防止する効果が大きくなる。
【０１００】
よって、第１の角度θ１及び第２の角度θ２を調整することで、幅方向Ｗ外側に流れる体液の漏れを抑制する効果と、前後方向Ｌの後方側に流れる体液の漏れを抑制する効果と、を調整できる。
【０１０１】
本実施形態では、第１列状圧搾部１００ａと第２列状圧搾部１００ｂの内、排泄口当接中心Ｃに近い第１列状圧搾部１００ａの第１の角度θ１を、第２列状圧搾部１００ｂの第２の角度θ２よりも小さくすることで、排泄口当接中心Ｃに近い第１列状圧搾部１００ａによって、幅方向Ｗ外側に流れる体液の漏れをより確実に抑制し、第２列状圧搾部１００ｂによって、前後方向Ｌ後方に流れる体液の漏れをより確実に抑制することができる。
【０１０２】
更に、第３列状圧搾部１００ｃの第３の角度θ３を、第２列状圧搾部１００ｂの第２の角度θ２よりも大きくすることで、後方領域ＢＡの後方側では、幅方向Ｗ外側に流れる体液の漏れをより確実に抑制することができる。
【０１０３】
なお、本実施形態では、第１の角度θ１と、第２の角度θ２よりも小さく、第２の角度θ２と、第３の角度θ３とが、θ１＜θ２＜θ３の関係を満たす場合を例に挙げて説明したが、これに限定されるものではない。例えば、第１の角度θ１と、第２の角度θ２よりも小さく、第２の角度θ２と、第３の角度θ３とは、θ１＞θ２＞θ３の関係を満たすようにしてもよいし、θ１＝θ２＜θ３の関係を満たすようにしてもよい。第２の角度θ２と、第３の角度θ３とは、適宜調整可能である。
【０１０４】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【０１０５】
例えば、吸収性物品は、生理用ナプキンに限られず、吸収パッド、パンティーライナーであってもよい。また、例えば、吸収性物品は、吸収体の幅方向外側端部に、ギャザーが形成されていてもよい。
【０１０６】
また、上述した本実施形態では、中央領域ＣＡをウイング部４３、４４の位置に基づいて規定しているが、これに限定されるものではない、例えば、吸収体３０が、吸収性物品１の平面視において、前後方向Ｌの中央に、幅方向Ｗ内側に凹む凹部（不図示）を有している場合には、吸収体３０の凹部の前方端部と後方端部との間の領域を中央領域ＣＡとしてもよい。
【０１０７】
また、上述した実施形態と、変形例１と、変形例２とは、組み合わせることも可能である。
【符号の説明】
【０１０８】
１、１Ａ、１Ｂ…吸収性物品
１０…表面シート
２０…裏面シート
３０…吸収体
４１，４２…サイドシート
４３，４４…ウイング部
８０…溝状圧搾部
８１…内側溝状圧搾部
８２…外側溝状圧搾部
９０、９１…点状圧搾部
１００…列状圧搾部
１００ａ…第１列状圧搾部
１００ｂ…第２列状圧搾部
１００ｃ…第３列状圧搾部
１０１…直列部分
１０２…直列部分
１１０…屈曲部
ＢＡ…後方領域
ＣＡ…中央領域
ＦＡ…前方領域
【図１】
2014198088.tif 000003
【図２】
2014198088.tif 000004
【図３】
2014198088.tif 000005
【図４】
2014198088.tif 000006
【図５】
2014198088.tif 000007